(57)【要約】      （修正有）【課題】簡素化された内部構成を含むため、可搬性を有して小規模なユーザに適する光ディスク保管読取装置を提供する。【解決手段】筐体１１０と、移動アセンブリ１２０と、光ディスク収容箱１３０と、光ディスク読取機１４０とを含む光ディスク保管読取装置１００である。筐体は、底板１１１を含み、移動アセンブリは、底板に配置される第１摺接座１２１と、第１方向Ｆ１に沿って第１摺接座に摺接する第２摺接座１２２とを含む。光ディスク収容箱は、底壁と、底壁に連結されるカバー体とを含む。底壁は、第２摺接座に組み付けられることに適し、且つ複数の凹部を有して複数の光ディスクを載置する。カバー体は、底壁の一部を覆って底壁と開口を形成する。光ディスク読取機は、底板に配置され、且つ光ディスク収容箱の開口に向かう光ディスク吸入側を有する。【選択図】図１Ａ
0003234753.tif 000002
【実用新案登録請求の範囲】
【請求項１】
底板を含む筐体と、
前記底板に配置される第１摺接座と、第１方向に沿って前記第１摺接座に摺接する第２摺接座とを含む移動アセンブリと、
前記第２摺接座に組み付けられることに適し、且つ複数の凹部を有して複数の光ディスクを載置する底壁と、前記底壁に連結され、前記底壁の一部を覆って前記底壁と開口を形成するカバー体とを含む光ディスク収容箱と、
前記底板に配置され、且つ前記光ディスク収容箱の前記開口に向かう光ディスク吸入側を有する光ディスク読取機と、を含む、
光ディスク保管読取装置。
【請求項２】
前記底板に配置され、且つ前記第２摺接座に接続されて前記第２摺接座を駆動して前記第１方向に移動させる駆動機構を更に含む、
請求項１に記載の光ディスク保管読取装置。
【請求項３】
前記駆動機構は、ギアセットを含む、
請求項２に記載の光ディスク保管読取装置。
【請求項４】
前記筐体は、前記第１方向において、前記底板に連結され、且つ互いに対向する２つの側壁を更に含み、
前記第１摺接座は、２つの摺接ロッドを含み、
前記摺接ロッドの各々の両端は、それぞれ前記２つの側壁に連結され、
前記第２摺接座は、前記２つの摺接ロッドに対応する２つの貫通孔を含む、
請求項１に記載の光ディスク保管読取装置。
【請求項５】
前記筐体は、前記底板を囲んで前記底板に連結される複数の側壁と、前記側壁に組み付けられる第１カバー体と第２カバー体とを更に含み、
前記第１カバー体は、前記第２カバー体に組み付けられて前記底板を覆うことにも適する、
請求項１に記載の光ディスク保管読取装置。
【請求項６】
前記底板に配置され、且つ前記側壁の１つに露出する複数の電気接続部を有する回路基板を更に含む、
請求項５に記載の光ディスク保管読取装置。
【請求項７】
可搬型の装置である、
請求項１に記載の光ディスク保管読取装置。
【考案の詳細な説明】
【技術分野】
【０００１】
本考案は、光ディスク保管読取装置に関し、特に、複数の光ディスクが保管される光ディスク保管読取装置に関する。
【背景技術】
【０００２】
データのバックアップは、政府機関及び企業にとっての重要な課題である。データのバックアップの要点は、長期保存可能で変更できないセキュリティである。ハードディスク及びメモリーカード等の記憶装置は便利であるが、破損・改ざんされやすいリスクもある。したがって、光ディスクは、データのバックアップの第１の選択肢になっている。
【０００３】
しかし、１枚の光ディスクの容量が限られるため、大量のデータは、それぞれ複数の光ディスクに焼き込まれる必要がある。バックアップの光ディスクが複数である場合、データの読取及び保管が行われるように、適切な装置が必要である。
【０００４】
通常、現在の政府機関又は大企業は、１つの機械室を設置してバックアップの光ディスクを格納し、更に自動化機器及びコンピュータを利用して利用者によるデータのアクセスを提供する。しかし、小規模企業、学校、更には家庭でも、データをバックアップする必要があるが、データの量は、機械室を設置する必要がある程度に達していない。したがって、小規模なユーザはデータのバックアップ作業を先延しにする傾向があり、データ紛失の事故が起こりやすく、データが改ざんされる可能性があるリスクに晒される。
【考案の概要】
【考案が解決しようとする課題】
【０００５】
本考案が提供する光ディスク保管読取装置は、簡素化された内部構成を含むため、可搬性を有して小規模なユーザに適する。
【課題を解決するための手段】
【０００６】
本考案が提供する光ディスク保管読取装置は、筐体と、移動アセンブリと、光ディスク収容箱と、光ディスク読取機とを含む。筐体は、底板を含み、移動アセンブリは、底板に配置される第１摺接座と、第１方向に沿って第１摺接座に摺接する第２摺接座とを含む。光ディスク収容箱は、底壁と、底壁に連結されるカバー体とを含む。底壁は、第２摺接座に組み付けられることに適し、且つ複数の凹部を有して複数の光ディスクを載置する。カバー体は、底壁の一部を覆って底壁と開口を形成する。光ディスク読取機は、底板に配置され、且つ光ディスク収容箱の開口に向かう光ディスク吸入側を有する。
【０００７】
本考案の実施例の光ディスク保管読取装置は、駆動機構を更に含む。駆動機構は、底板に配置され、且つ第２摺接座に接続されて第２摺接座を駆動して第１方向に移動させる。
【０００８】
本考案の１つの実施例では、駆動機構は、ギアセットを含む。
【０００９】
本考案の１つの実施例では、筐体は、第１方向において、底板に連結され、且つ互いに対向する２つの側壁を更に含む。第１摺接座は、２つの摺接ロッドを含み、摺接ロッドの各々の両端は、それぞれ２つの側壁に連結され、第２摺接座は、２つの摺接ロッドに対応する２つの貫通孔を含む。
【００１０】
本考案の１つの実施例では、筐体は、底板を囲んで底板に連結される複数の側壁と、側壁に組み付けられる第１カバー体と第２カバー体とを更に含む。第１カバー体は、第２カバー体に組み付けられて底板を覆うことにも適する。
【００１１】
本考案の実施例の光ディスク保管読取装置は、回路基板を更に含む。回路基板は、底板に配置され、且つ複数の電気接続部を有する。電気接続部は、複数の側壁の１つに露出する。
【００１２】
本考案の実施例の光ディスク保管読取装置は、可搬型の装置である。
【考案の効果】
【００１３】
本考案の実施例の光ディスク保管読取装置内には、光ディスク読取機と、光ディスク読取機に対して第１方向において移動する光ディスク収容箱とが配置される。したがって、比較的に小さい体積を有し、小規模なユーザに適し、持ち運びに便利であることが可能である。
【００１４】
本考案の上記及び他の目的、特徴、及び利点をより分かりやすくするため、以下には、実施例を挙げ、添付の図面と合わせ、以下のように詳しく説明する。
【図面の簡単な説明】
【００１５】
【図１Ａ】本考案の１つの実施例の光ディスク保管読取装置の内部模式図である。
【図１Ｂ】本考案の１つの実施例の光ディスク保管読取装置の分解模式図である。
【考案を実施するための形態】
【００１６】
図１Ａは、本考案の１つの実施例の光ディスク保管読取装置の内部模式図であり、図１Ｂは、本考案の１つの実施例の光ディスク保管読取装置の分解模式図である。図１Ａから図１Ｂを参照する。本実施例の光ディスク保管読取装置１００は、筐体１１０と、移動アセンブリ１２０と、光ディスク収容箱１３０と、光ディスク読取機１４０とを含む。筐体１１０は、底板１１１を含み、移動アセンブリ１２０は、底板１１１に配置される第１摺接座１２１と、第１方向Ｆ１に沿って第１摺接座１２１に摺接する第２摺接座１２２とを含む。光ディスク収容箱１３０は、底壁１３１と、底壁１３１に連結されるカバー体１３２とを含む。底壁１３１は、第２摺接座１２２に組み付けられることに適し、且つ複数の凹部１３３を有して複数の光ディスク５を載置する。カバー体１３２は、底壁１３１の一部を覆って底壁１３１と開口１５０を形成する。光ディスク読取機１４０は、底板１１１に配置され、且つ光ディスク収容箱１３０の開口１５０に向かう光ディスク吸入側１４１を有する。
【００１７】
本実施例の光ディスク保管読取装置１００は、駆動機構１６０を更に含むことが可能である。駆動機構１６０は、底板１１１に配置され、且つ第２摺接座１２２に接続されて第２摺接座１２２を駆動して第１方向Ｆ１に移動させる。本実施例では、駆動機構１６０は、ギアセットを含むことが可能であるが、これに限定されるものではない。
【００１８】
本実施例の光ディスク保管読取装置１００は、回路基板１７０を更に含むことが可能である。駆動機構１６０及び光ディスク読取機１４０は、回路基板１７０に電気的に接続されることが可能である。回路基板１７０には、駆動機構１６０が第２摺接座１２２を駆動して移動させる距離及び方向が制御されるように、中央処理装置（未図示）が設けられることが可能である。
【００１９】
本実施例では、筐体１１０は、底板１１１を囲んで底板１１１に連結される複数の側壁１１２と、側壁１１２に組み付けられる第１カバー体１１３と第２カバー体１１４とを更に含む。第１摺接座１２１は、第１方向Ｆ１において２つの側壁１１２の間に筐体１１０に連結される、２つの摺接ロッド１２３を含む。摺接ロッド１２３の各々の両端は、それぞれ２つの側壁１１２に連結され、第２摺接座１２２は、２つの摺接ロッド１２３に対応する２つの貫通孔１２２０を含む。しかし、第１摺接座１２１と第２摺接座１２２との形態は、これに限定されるものではない。
【００２０】
回路基板１７０は、側壁１１２の１つに露出する複数の電気接続部１７１を有することが可能である。一部の電気接続部１７１は、利用者が光ディスク５の内容を読取るように、コンピュータに接続されることが可能であり、電気接続部１７１の１つは、外部電源に接続されることに用いられることが可能である。もちろん、回路基板１７０には、ブルートゥース（登録商標）チップ（未図示）又は無線ネットワークチップ（未図示）が配置され、無線によって他の電子装置（未図示）に接続することも可能である。
【００２１】
本実施例では、第１カバー体１１３は、第２カバー体１１４に組み付けられて底板１１１を覆うことにも適し、これにより、底板１１１、側壁１１２と閉鎖空間を形成し、移動アセンブリ１２０、光ディスク収容箱１３０、光ディスク読取機１４０、及び回路基板１７０等の設備を収容する。
【００２２】
本実施例の光ディスク保管読取装置１００は、表示灯１８０を更に含むことが可能である。表示灯１８０は、電気接続ブラケット１８１とライトバー部１８２とを含む。電気接続ブラケット１８１の一端は、回路基板１７０に電気的に接続され、他端には、ライトバー部１８２が延出する。第１カバー体１１３は、ライトバー部１８２を露出しうる溝１１５を有する。表示灯１８０は、ライトバー部１８２を点滅させることにより、光ディスク読取機１４０が光ディスク５を読取っていることを示すことが可能である。
【００２３】
本実施例では、光ディスク収容箱１３０は、交換可能である。本実施例の光ディスク保管読取装置１００は、異なる光ディスク収容箱１３０を識別しうる要素、例えば赤外線認識器が第２摺接座１２２に設置され、且つ光ディスク収容箱１３０に識別コードが貼付されることが可能である。利用者がコンピュータで所望のデータを検索すると、アクセスしようとするデータの光ディスクが置かれた光ディスク収容箱１３０を知ることができる。
【００２４】
実際に動作する際に、利用者は、コンピュータが本実施例の光ディスク保管読取装置１００に電気的に接続されることを利用し、アクセスしようとするデータを選択又は検索することができる。正確な光ディスク収容箱１３０を入れた後、回路基板１７０は、光ディスク読取機１４０の光ディスク吸入側１４１が読取ろうとする光ディスク５に面し、光ディスク５を吸入して読取ることができるように、駆動機構１６０が第２摺接座１２２を移動することを指示する。本実施例の光ディスク保管読取装置１００は、光ディスク読取機１４０と光ディスク収容箱１３０との間に、読取ろうとする光ディスク５を光ディスク読取機１４０へ押し込みうる機構（未図示）が別途設けられることが可能である。
【００２５】
本実施例の光ディスク保管読取装置１００は、可搬型の装置であることが可能であり、会議室、セミナーに便利に使用されることが可能である。
【００２６】
本考案の実施例の光ディスク保管読取装置内には、光ディスク読取機と、光ディスク読取機に対して第１方向において移動する光ディスク収容箱とが配置される。したがって、比較的に小さい体積を有し、小規模なユーザに適し、持ち運びに便利であることが可能である。
【００２７】
本考案は、実施例で上述のように開示されたが、それが本考案を限定するものではない。本考案の属する技術の分野における通常の知識を有する者は、本考案の精神及び範囲を逸脱することなく、幾つかの変更及び修飾を加えることができる。そのため、本考案の保護範囲は、添付の実用新案登録請求の範囲によって定義される。
【符号の説明】
【００２８】
１００  ：光ディスク保管読取装置
１１０  ：筐体
１１１  ：底板
１１２  ：側壁
１１３  ：第１カバー体
１１４  ：第２カバー体
１１５  ：溝
１２０  ：移動アセンブリ
１２１  ：第１摺接座
１２２  ：第２摺接座
１２２０：貫通孔
１２３  ：摺接ロッド
１３０  ：光ディスク収容箱
１３１  ：底壁
１３２  ：カバー体
１３３  ：凹部
１４０  ：光ディスク読取機
１４１  ：光ディスク吸入側
１６０  ：駆動機構
１７０  ：回路基板
１７１  ：電気接続部
１８０  ：表示灯
１８１  ：電気接続ブラケット
１８２  ：ライトバー部
５      ：光ディスク
Ｆ１    ：第１方向
【図１Ａ】
0003234753.tif 000003
【図１Ｂ】
0003234753.tif 000004